【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
飲料調製カプセルにおいて、
飲料調製原料を入れるのに適した中空体であって、該中空体内へと液体を受け入れるための上端部と、前記中空体から飲料を分注するための、前記上端部に流体連通している下端部と、前記上端部および前記下端部の間の少なくとも１つの側壁とを有する、中空体、および、
側壁の第１の位置から側壁の第２の位置へと延在している、フィルタ材料のシート、
を備え、前記フィルタ材料のシートが前記側壁に対して傾斜して前記中空体の内部を横切って延在するように、前記第１の位置が前記中空体の前記上端部に相対的に近く、かつ前記第２の位置が前記中空体の前記下端部に相対的に近いことを特徴とする飲料調製カプセル。
【請求項２】
前記フィルタ材料のシートが該シートの周縁の周りで、前記中空体の前記少なくとも１つの側壁に固定されていることを特徴とする請求項１記載の飲料調製カプセル。
【請求項３】
前記側壁の領域が少なくとも部分的に透過性であり、前記側壁の前記透過性の領域が、前記フィルタ材料のシートとして作用するようなものであることを特徴とする請求項１記載の飲料調製カプセル。
【請求項４】
前記フィルタ材料のシートが前記中空体を、前記液体を受け入れるための注入チャンバと、排出チャンバであって前記飲料が該排出チャンバから分注される、排出チャンバとに分割することを特徴とする請求項１から３いずれか１項記載の飲料調製カプセル。
【請求項５】
前記フィルタ材料の表面積が、前記中空体のキャビティの横断面積よりも大きいことを特徴とする請求項１から４いずれか１項記載の飲料調製カプセル。
【請求項６】
前記フィルタ材料のシートが、単一の折り畳まれていない材料のシートであることを特徴とする請求項１から５いずれか１項記載の飲料調製カプセル。
【請求項７】
ノズルである液体の注入口であって、前記液体が該注入口を通って前記中空体に入ることができる、注入口をさらに備えていることを特徴とする請求項１から６いずれか１項記載の飲料調製カプセル。
【請求項８】
開口可能な継ぎ目である液体の排出口であって、前記飲料が該排出口を通って前記中空体から出ることができる、排出口をさらに備えていることを特徴とする請求項１から７いずれか１項記載の飲料調製カプセル。
【請求項９】
前記排出口が、熱および／または圧力で解除可能な接合で密封されていることを特徴とする請求項８記載の飲料調製カプセル。
【請求項１０】
前記フィルタ材料と前記中空体の前記上端部との間で前記フィルタ材料のシート上に支持された、挽いたコーヒーまたは茶葉である前記飲料調製原料を備えていることを特徴とする請求項１から９いずれか１項記載の飲料調製カプセル。
【請求項１１】
前記飲料調製原料が、使用前に前記カプセル内に密閉されていることを特徴とする請求項１０記載の飲料調製カプセル。
【請求項１２】
前記フィルタ材料が、ウェブ材料または不織布繊維材料であることを特徴とする請求項１から１１いずれか１項記載の飲料調製カプセル。
【請求項１３】
前記フィルタ材料のシートが、その表面積の少なくとも１つの寸法に沿って、可変透過度を有することを特徴とする請求項１から１２いずれか１項記載の飲料調製カプセル。
【請求項１４】
前記可変透過度が、前記フィルタ材料の、可変厚さ、可変細孔サイズ、または可変組成、によって提供されることを特徴とする請求項１３記載の飲料調製カプセル。
【請求項１５】
前記フィルタ材料が、前記中空部の上部または前記注入口のより近くで、より透過性ではなく、かつ前記中空体の下部または前記排出口のより近くで、より透過性であることを特徴とする請求項１３または１４記載の飲料調製カプセル。
【請求項１６】
約２５ｍｌから約５００ｍｌの飲料の調製のための、および／または、約２ｇから約２５ｇの挽いたコーヒー、または約１ｇから約９ｇの茶葉、あるいは約２ｇから約３０ｇの水分散性原料が入っている、一杯分のカプセルであることを特徴とする請求項１から１５いずれか１項記載の飲料調製カプセル。
【請求項１７】
前記中空体が、対面した関係で配置されかつその縁端に沿って密封された、フレキシブルフィルム材料の前方シートと後方シートとを備えた、サシェの形を成しており、前記中空体の前記上端部に相対的に近い、該中空体の一方のシート上の前記第１の位置から、前記中空体の前記下端部に相対的に近い、該中空体の対向するシート上の前記第２の位置へと、傾斜した前記フィルタ材料のシートが延在していることを特徴とする請求項１から１６いずれか１項記載の飲料調製カプセル。
【請求項１８】
前記中空体の前記前方シートおよび前記後方シートが、空気および水不浸透性の積層シートであることを特徴とする請求項１７記載の飲料調製カプセル。
【請求項１９】
前記中空体の前記前方シートおよび前記後方シートが、前記中空体の下部の継ぎ目に排出領域を提供した状態で、両縁端の継ぎ目および上部の継ぎ目に沿って恒久的に一緒に接合されており、かつ液体の注入ノズルが、前記中空体の前記上部の継ぎ目または一方の縁端の継ぎ目内へと挿入されていることを特徴とする請求項１７または１８記載の飲料調製カプセル。
【請求項２０】
傾斜した前記フィルタ材料のシートが、前記注入ノズルに相対的に近い、前記中空体の一方のシート上の前記第１の位置から、前記排出領域に相対的に近い、前記中空体の対向するシート上の前記第２の位置へと、延在していることを特徴とする請求項１９記載の飲料調製カプセル。
【請求項２１】
前記排出領域が、熱および／または圧力で解除可能な接合で密封されていることを特徴とする請求項１９または２０記載の飲料調製カプセル。
【請求項２２】
前記前方シートおよび／または前記後方シートの前記フレキシブルフィルム材料の領域が少なくとも部分的に透過性であり、前記フレキシブルフィルム材料の前記透過性の領域が、前記フィルタ材料のシートとして作用するようなものであることを特徴とする請求項１７から２１いずれか１項記載の飲料調製カプセル。
【請求項２３】
前記中空体の前記フレキシブルフィルム材料が積層体であり、該積層体が、前記中空体を前記カプセルの他の部材に接合するための熱可塑性シーラント層、実質的に気体不浸透性のバリア層、前記積層体の層間の付着を促進する付着層、構造層、のうちの２以上を備えていることを特徴とする請求項１７から２２いずれか１項記載の飲料調製カプセル。
【請求項２４】
前記中空体のフィルム材料が、ポリプロピレン層とポリビニルアルコール層とを備えた積層体であることを特徴とする請求項２３記載の飲料調製カプセル。
【請求項２５】
前記中空体が、少なくとも１つの半剛性材料のシートを備えた、ポッドの形を成したものであることを特徴とする請求項１から１６いずれか１項記載の飲料調製カプセル。
【請求項２６】
前記半剛性材料のシートが積層体であり、該積層体が、前記中空体を前記カプセルの他の部材に接合するための熱可塑性シーラント層、実質的に気体不浸透性のバリア層、前記積層体の層間の付着を促進する付着層、構造層、のうちの少なくとも１つを備えていることを特徴とする請求項２５記載の飲料調製カプセル。
【請求項２７】
フランジ付きリムを有するカップまたはボウルの形状に成形された、半剛性材料の第１のシートと、前記中空体を形成するよう前記フランジ付きリムを横切って接合された、フレキシブル材料または半剛性材料の第２のシートとを備えていることを特徴とする、請求項２５または２６記載の飲料調製カプセル。
【請求項２８】
前記中空体の少なくとも１つの壁が、飲料調製装置の注入管または排出管によって孔をあけることができるものであり、前記中空体の前記上端部および前記下端部の両方が孔をあけることができるものであることを特徴とする請求項２５から２７いずれか１項記載の飲料調製カプセル。
【請求項２９】
飲料を調製する方法であって、請求項１から２４いずれか１項記載の飲料調製カプセルに、水性の液体を通過させるステップを含むことを特徴とする方法。
【請求項３０】
前記中空体の前記上端部または上端部領域側壁に位置している、ノズルを通じて、水注入管を前記中空体内へと挿入し、さらに次いで、前記中空体の内部の前記飲料調製原料上へと前記液体を注入して、前記飲料または飲料成分を調製するステップを含むことを特徴とする請求項２９記載の方法。
【請求項３１】
前記中空体の前記下端部または下端部領域側壁が、前記中空体内に前記液体が導入されると破裂開口して前記飲料を前記中空体から排出管を通じて流出させることができる、感熱および／または感圧シールを備えていることを特徴とする請求項２９または３０記載の方法。
【請求項３２】
飲料を調製する方法であって、請求項１から１６および２５から２８のいずれか１項記載の飲料調製カプセルに、水性の液体を通過させるステップを含むことを特徴とする方法。
【請求項３３】
前記中空体の前記上端部または上端部領域側壁に、注入管で、該注入管の開口が前記フィルタ材料のシートの上方に存在するように孔をあけ、さらに次いで、前記中空体の内部の前記飲料調製原料上へと前記液体を注入して、前記飲料または飲料成分を調製するステップを含むことを特徴とする請求項３２記載の方法。
【請求項３４】
前記中空体の前記下端部または下端部領域側壁に、排出管で、該排出管の開口が前記フィルタ材料のシートの下方に存在するように孔をあけ、さらに次いで前記飲料を、前記排出管を通じて前記中空体から流出させることを可能にするステップを含むことを特徴とする請求項３２または３３記載の方法。
【手続補正２】
【補正対象書類名】図面
【補正対象項目名】図３
【補正方法】変更
【補正の内容】
【図３】
2017511710.tif 000001